(57)【特許請求の範囲】
【請求項１】
直流電源と、上記直流電源から供給される直流を高周波電流に変換するインバータ回路と、上記インバータ回路からの高周波電流により放電灯を点灯させる放電灯負荷回路と、上記インバータ回路から上記放電灯負荷回路に供給される電流を検出する電流検出回路と、基準電圧を発生する基準電圧回路と、上記電流検出回路からの出力と上記基準電圧回路からの基準電圧に基づいて制御信号を生成する誤差増幅器と、上記誤差増幅器からの制御信号に基づいて上記インバータ回路のスイッチング周波数を制御し、上記インバータ回路から上記放電灯負荷回路に供給される電流を制御するインバータ駆動回路とを備えた放電灯点灯装置において、上記基準電圧回路を放電灯の定格値に対応した複数の異なる基準電圧を出力できるよう構成するとともに、上記基準電圧回路には、上記放電灯負荷回路に装着された放電灯の定格値を識別し、この定格値に適合した基準電圧を自動的に選択可能な基準電圧選択手段を設け、さらに、上記放電灯点灯装置起動時の上記インバータ回路のスイッチング周波数を設定する初期周波数設定手段を設けるとともに、上記基準電圧選択手段が、上記初期周波数設定手段によって設定されたスイッチング周波数で運転した際の上記電流検出回路からの出力に基づいて上記放電灯負荷回路に装着された放電灯の定格値を識別し、この定格値に適合した基準電圧を自動的に選択するよう構成したことを特徴とする放電灯点灯装置。
【請求項２】
上記基準電圧回路を、基準電圧用直流電源と上記基準電圧用直流電源の電圧を分割する分割抵抗とを備え、あらかじめ設定された放電灯の定格値に対応した複数の異なる基準電圧を発生する基準電圧発生部と、上記放電灯負荷回路に装着された放電灯の定格値を識別し、上記基準電圧発生部で生成する基準電圧の中からこの定格値に適合した基準電圧を自動的に選択する基準電圧選択手段とから構成したことを特徴とする特許請求の範囲第１項記載の放電灯点灯装置。
【請求項３】
上記基準電圧回路を、基準電圧用直流電源と、上記基準電圧用直流電源の電圧を分割する分割抵抗と、基準電圧を選択するスイッチ部と上記スイッチ部を制御するスイッチ制御部とを備えた基準電圧選択手段とから構成するとともに、上記スイッチ部の各スイッチを上記分割抵抗に並列に接続し、上記スイッチ制御部でバイパスする分割抵抗を選択することにより、上記基準電圧回路から出力される基準電圧を選択するよう構成したことを特徴とする特許請求の範囲第１項記載の放電灯点灯装置。
【請求項４】
上記基準電圧選択手段を、上記電流検出回路の出力をデジタルデータ化するＡ／Ｄ変換器と、上記初期周波数設定手段で設定されたスイッチング周波数に対応する放電灯の電流値を記憶する記憶回路と、上記Ａ／Ｄ変換器によって検出されたデジタルデータと上記記憶回路にあらかじめ保存された電流値とを比較して装着された放電灯の定格値を識別し、制御信号を出力する演算回路とを備えたスイッチ制御部と、上記演算回路からの制御信号により上記基準電圧回路から出力される基準電圧を選択するスイッチ部とから構成したことを特徴とする特許請求の範囲第３項記載の放電灯点灯装置。
【請求項５】
放電灯の定格値を識別する情報を上記基準電圧選択手段に手動で入力できる外部設定手段を設けたことを特徴とする特許請求の範囲第１項ないし第４項のいずれかに記載の放電灯点灯装置。
【請求項６】
上記基準電圧回路と上記誤差増幅器との間に緩衝回路を設け、上記基準電圧回路から出力される基準電圧の変更時に、上記誤差増幅器に入力される基準電圧が連続的に変化するよう構成したことを特徴とする特許請求の範囲第１項ないし第５項のいずれかに記載の放電灯点灯装置。
【請求項７】
基準電圧を変更する際、上記基準電圧選択手段が、変更時点で選択されている基準電圧に近い基準電圧から順番に基準電圧を選択するよう構成したことを特徴とする特許請求の範囲第１項ないし第６項のいずれかに記載の放電灯点灯装置。
【請求項８】
上記基準電圧回路を、上記誤差増幅器が実装された回路基板上に設けたことを特徴とする特許請求の範囲第１項ないし第７項のいずれかに記載の放電灯点灯装置。
【請求項９】
上記基準電圧回路および上記誤差増幅器が実装された回路基板をケース内に収納したことを特徴とする特許請求の範囲第１項ないし第８項のいずれかに記載の放電灯点灯装置。
【発明の詳細な説明】
【０００１】
【発明の属する技術分野】
この発明は、インバータ回路からの高周波電力によって放電灯を点灯させる放電灯点灯装置に関するものである。
【０００２】
【従来の技術】
図１０に、従来の放電灯点灯装置の回路図を示す。図において、１は商用電源を整流、平滑化して直流電流を得る直流電源、２はＭＯＳ  ＦＥＴ等のスイッチング素子２ａ、２ｂから成るインバ−タ回路、３はインバータ回路２を駆動するインバータ駆動回路、４はインバータ回路２の出力側に接続された結合コンデンサ、５はチョ−クコイル５ａ、始動コンデンサ５ｂおよび放電灯５ｃから成る放電灯負荷回路、６は検出抵抗７と、抵抗８ａおよびコンデンサ８ｂを備えた積分回路８（ハイパスフィルタ−）から構成され放電灯負荷回路５に供給される正味電流を検出する電流検出回路、９は誤差増幅器、１０ａおよび１０ｂは誤差増幅器９での積分用の抵抗およびコンデンサであり、誤差増幅器９の反転入力端には積分回路８の出力電圧が、また、非反転入力端には安定化された基準電圧用直流電源１１および分割抵抗１２、１３とを備えた基準電圧回路１４から基準電圧が入力され、上記の２つの電圧の差が誤差増幅器９で増幅されて制御信号としてインバ−タ駆動回路３にフィードバックされている。
【０００３】
なお、商用電源から直流電流を得る場合の直流電源１の構成例を図１１に示す。図に示すように、商用電源１ａから出力された交流電流はダイオ−ドブリッジ１ｂで全波整流された後、平滑コンデンサ１ｃで平滑化され、直流電流として負荷回路に出力されるよう構成されている。
【０００４】
以下、この図１０に示した従来例の回路の動作について説明する。図において、インバータ駆動回路３によりインバ−タ回路２が駆動されると直流電源１から供給される直流電流が高周波電流に変換され、放電灯負荷回路５に供給されて、放電灯５ｃが点灯する。この時、放電灯負荷回路５には結合コンデンサ４が接続されているため、スイッチング素子２ａおよび２ｂのＯＮ、ＯＦＦに連動して、検出抵抗７には、図１２に示すような順方向および逆方向（回生方向）に交流電流が流れることになり、回路損失を無視すると、この有効成分（順および逆方向の電流の和。以下、正味電流と呼ぶ）が放電灯５ｃで電力として消費される。
【０００５】
また、検出抵抗７によって検出された電流は、積分回路８で順方向および逆方向の電流の和（正味電流）が検出されて、対応する電圧が誤差増幅器９の反転入力端に入力される。一方、誤差増幅器９の非反転入力端には、基準電圧回路１４から基準電圧用直流電源１１の電圧を分割抵抗１２及び１３で分割して生成した基準電圧が入力されており、誤差増幅器９では、この基準電圧と積分回路８からの出力電圧との電圧差が増幅されるとともに、積分用の抵抗１０ａおよびコンデンサ１０ｂによって積分され、インバ−タ駆動回路３に制御信号としてフィードバックされることにより、インバ−タ駆動回路３でインバータ回路２のスイッチング周波数が制御され、直流電源１から放電灯負荷回路５に供給される高周波電流が調整される。こうして、直流電源１の出力電圧が一定の場合、放電灯負荷回路５に供給される高周波電流がインバ−タ回路２のスイッチング周波数で制御されるため、インバ−タ回路２のスイッチング周波数を制御して積分回路８の出力電圧が基準電圧に等しくなるよう保持すれば、放電灯５ｃに供給される電力を一定に保つことができる。
【０００６】
【発明が解決しようとする課題】
しかしながら、上記図１０に示した従来の放電灯点灯装置では、基準電圧回路１４から出力される基準電圧が点灯装置毎に固定されていたため、異なる定格値を有する放電灯に対応するためには、チョークコイル５ａや始動コンデンサ５ｂ等の部品をあらかじめ複数種類用意しておき、装着する放電灯５ｃの定格値に合わせて回路定数を変更したり、商品群をラインアップする場合に放電灯５ｃの定格値に対応した多種類の放電灯点灯装置を用意しておく必要があり、生産時の部品管理や製品の在庫管理が煩雑になり、管理コストが高くなるといった問題点があった。
【０００７】
また、放電灯点灯装置を設置した後に、照度アップや省電力等の目的で異なる定格値の放電灯に変更する場合には、放電灯点灯装置を新たに交換、設置する必要があり、購入費用や交換のための運用コストが高くなるといった問題点も有していた。
【０００８】
この発明は、従来装置の上記のような問題点を解消するためになされたもので、この発明の第１の目的は、１つの放電灯点灯装置で複数の異なる定格値を有する放電灯に自動的に適合できるとともに、設置後においても放電灯の定格値の変更に自動的に対応でき、生産時の部品管理等の管理コストや設置後の運用コスト等の削減が可能な放電灯点灯装置を提供することを目的とする。
【０００９】
また、この発明の第２の目的は、放電灯の定格値の変更を自動的に行うことにより、定格値の変更が容易であるとともに、電気的な知識がない場合にも確実に定格値が変更され、放電灯に定格値を超える過大な電流が流れることを防止して、放電灯が短寿命となる心配のない放電灯点灯装置を提供することを目的とする。
【００１０】
また、この発明の第３の目的は、同一の放電灯で複数の定格値を有する放電灯にも適合できる放電灯点灯装置を提供することを目的とする。
【００１１】
さらに、この発明の第４の目的は、基準電圧の変更に伴う急激な放電灯の明るさ（光出力）の変化を抑制し、使用時の快適性にも優れた放電灯点灯装置を提供することを目的とする。
【００１２】
【課題を解決するための手段】
この発明に係る放電灯点灯装置は、上記の目的を達成するために、直流電源と、上記直流電源から供給される直流を高周波電流に変換するインバータ回路と、上記インバータ回路からの高周波電流により放電灯を点灯させる放電灯負荷回路と、上記インバータ回路から上記放電灯負荷回路に供給される電流を検出する電流検出回路と、基準電圧を発生する基準電圧回路と、上記電流検出回路からの出力と上記基準電圧回路からの基準電圧に基づいて制御信号を生成する誤差増幅器と、上記誤差増幅器からの制御信号に基づいて上記インバータ回路のスイッチング周波数を制御し、上記インバータ回路から上記放電灯負荷回路に供給される電流を制御するインバータ駆動回路とを備えた放電灯点灯装置において、上記基準電圧回路を放電灯の定格値に対応した複数の異なる基準電圧を出力できるよう構成するとともに、上記基準電圧回路には、上記放電灯負荷回路に装着された放電灯の定格値を識別し、この定格値に適合した基準電圧を自動的に選択可能な基準電圧選択手段を設け、さらに、上記放電灯点灯装置起動時の上記インバータ回路のスイッチング周波数を設定する初期周波数設定手段を設けるとともに、上記基準電圧選択手段が、上記初期周波数設定手段によって設定されたスイッチング周波数で運転した際の上記電流検出回路からの出力に基づいて上記放電灯負荷回路に装着された放電灯の定格値を識別し、この定格値に適合した基準電圧を自動的に選択するよう構成したものである。
【００１３】
また、この発明に係る放電灯点灯装置は、上記基準電圧回路を、基準電圧用直流電源と上記基準電圧用直流電源の電圧を分割する分割抵抗とを備え、あらかじめ設定された放電灯の定格値に対応した複数の異なる基準電圧を発生する基準電圧発生部と、上記放電灯負荷回路に装着された放電灯の定格値を識別し、上記基準電圧発生部で生成する基準電圧の中からこの定格値に適合した基準電圧を自動的に選択する基準電圧選択手段とから構成したものである。
【００１４】
また、この発明に係る放電灯点灯装置は、上記基準電圧回路を、基準電圧用直流電源と、上記基準電圧用直流電源の電圧を分割する分割抵抗と、基準電圧を選択するスイッチ部と上記スイッチ部を制御するスイッチ制御部とを備えた基準電圧選択手段とから構成するとともに、上記スイッチ部の各スイッチを上記分割抵抗に並列に接続し、上記スイッチ制御部でバイパスする分割抵抗を選択することにより、上記基準電圧回路から出力される基準電圧を選択するよう構成したものである。
【００１５】
さらに、この発明に係る放電灯点灯装置は、上記基準電圧選択手段を、上記電流検出回路の出力をデジタルデータ化するＡ／Ｄ変換器と、上記初期周波数設定手段で設定されたスイッチング周波数に対応する放電灯の電流値を記憶する記憶回路と、上記Ａ／Ｄ変換器によって検出されたデジタルデータと上記記憶回路にあらかじめ保存された電流値とを比較して装着された放電灯の定格値を識別し、制御信号を出力する演算回路とを備えたスイッチ制御部と、上記演算回路からの制御信号により上記基準電圧回路から出力される基準電圧を選択するスイッチ部とから構成したものである。
【００１６】
また、この発明に係る放電灯点灯装置は、放電灯の定格値を識別する情報を上記基準電圧選択手段に手動で入力できる外部設定手段を設けたものである。
【００１７】
また、この発明に係る放電灯点灯装置は、上記基準電圧回路と上記誤差増幅器との間に緩衝回路を設け、上記基準電圧回路から出力される基準電圧を変更する際、上記緩衝回路によって、上記誤差増幅器に入力される基準電圧が連続的に変化するよう構成したものである。
【００１８】
さらに、この発明に係る放電灯点灯装置は、基準電圧の変更時に、上記基準電圧回路から出力される基準電圧が、変更時点で選択されている基準電圧に近い基準電圧から順番に出力されるよう構成したものである。
【００１９】
また、この発明に係る放電灯点灯装置は、上記基準電圧回路を上記誤差増幅器が実装された回路基板上に設けたものである。
【００２０】
また、この発明に係る放電灯点灯装置は、上記基準電圧回路および上記誤差増幅器が実装された回路基板をケース内に収納したものである。
【００２１】
【発明の実施の形態】
実施の形態１．
図１は、この発明の実施の形態１である放電灯点灯装置の構成を示す回路図である。図において、１は商用電源を整流、平滑化して直流電流を得る直流電源、２はＭＯＳ  ＦＥＴ等のスイッチング素子２ａ、２ｂから成るインバ−タ回路、３は、内部に電圧によってスイッチング周波数が制御される電圧制御発振回路３ａ（図中、「ＶＣＯ」と記載）およびドライバ３ｂを備え、インバータ回路２を駆動するインバータ駆動回路、４はインバータ回路２の出力側に接続された結合コンデンサ、５はチョ−クコイル５ａ、始動コンデンサ５ｂおよび放電灯５ｃから成る放電灯負荷回路、６は検出抵抗７と、抵抗８ａおよびコンデンサ８ｂを備えた積分回路８（ハイパスフィルタ−）から構成され放電灯負荷回路５に供給される正味電流を検出する電流検出回路、９は誤差増幅器、１０ａおよび１０ｂは誤差増幅器９での積分用の抵抗およびコンデンサであり、誤差増幅器９の反転入力端には積分回路８の出力電圧が、また、非反転入力端には基準電圧回路１４から基準電圧が入力され、上記の２つの電圧の差が誤差増幅器９で増幅されて制御信号としてインバ−タ駆動回路３にフィードバックされている。
【００２２】
なお、この実施の形態１では、インバータ駆動回路３には、この放電灯点灯装置の起動時のインバータ回路２のスイッチング周波数を記憶するＲＯＭ２１ａと、起動時から一定期間このＲＯＭ２１ａ内に記憶されたスイッチング周波数でインバータ回路２を駆動するようインバータ駆動回路３を制御する制御部２１ｂを備えた初期周波数設定手段２１が接続されている。
【００２３】
また、基準電圧回路１４は、安定化された基準電圧用直流電源１１の電圧を分割抵抗１２ａ、１２ｂ、１２ｃおよび１３で分割して放電灯５ｃの定格値（例えば、３２Ｗ、４０Ｗ、４５Ｗ）に対応した３つの基準電圧をあらかじめ設定、生成する基準電圧発生部１５と、基準電圧発生部１５で生成された３つの基準電圧の中から基準電圧を選択し誤差増幅器９に入力する３つのスイッチ２０ａ、２０ｂ、２０ｃから成るスイッチ部２０と、電流検出回路６に接続され、初期周波数設定手段２１で設定された起動時のスイッチング周波数に対応した電流データと電流検出回路６からの出力に基づいて放電灯負荷回路５に装着された放電灯５ｃの定格値を検出し、スイッチ部２０の各スイッチを自動制御するスイッチ制御部２２とを備えている。また、このスイッチ制御部２２およびスイッチ部２０は、全体として基準電圧選択手段２３を構成している。
【００２４】
さらに、このスイッチ制御部２２の具体的構成は、図１に示すように、電流検出回路６からの出力をデジタル変換するＡ／Ｄ変換器２２ａと、インバータ回路２のスイッチング周波数と放電灯負荷回路５に流れる正味電流値との関係を記憶した記憶回路２２ｂと、上記Ａ／Ｄ変換器２２ａからの出力と上記記憶回路２２ｂ内に保存された電流データに基いて放電灯負荷回路５に装着された放電灯５ｃの定格値を識別し、スイッチ部２０にＯＮ／ＯＦＦ信号を送出する演算回路２２ｃから構成され、この実施の形態１では、スイッチ制御部２２をＡ／Ｄ変換機能およびメモリを内蔵したマイコンで、また、スイッチ部２０を半導体スイッチにより構成している。
【００２５】
以下、この実施の形態１の動作について図１の構成図と図２のフローチャートを用いて説明する。まず、この放電灯点灯装置が起動されると、ステップＳ１において、初期周波数設定手段２１からインバータ駆動回路３に制御信号が送出され、インバータ駆動回路３内の電圧制御発振回路３ａが初期周波数設定手段２１内のＲＯＭ２１ａに記憶された周波数で発振し、この信号がドライバ３ｂで増幅されてインバータ回路２を駆動することにより、直流電源１から供給される直流電流が高周波電流に変換されて、放電灯負荷回路５に供給され、放電灯５ｃが点灯する。
【００２６】
この時、放電灯負荷回路５には結合コンデンサ４が接続されているため、スイッチング素子２ａおよび２ｂのＯＮ、ＯＦＦに連動して、放電灯負荷回路５には、直流電源１→スイッチング素子２ａ→結合コンデンサ４→放電灯負荷回路５→検出抵抗７→直流電源１なる右周りおよび結合コンデンサ４→スイッチング素子２ｂ→放電灯負荷回路５→結合コンデンサ４なる左周りの交流電流が交互に流れることになり、この結果、検出抵抗７には図１２と同様の交流電流が流れて、積分回路８でこの交流電流の順方向および逆方向の電流の和（正味電流）が検出され、積分回路８に接続されたスイッチ制御部２２に放電灯負荷回路５に供給されている正味電流の信号が入力される。
【００２７】
こうして、放電灯点灯装置を起動後、初期周波数設定手段２１によって設定された一定周波数でインバータ回路２を駆動すれば、放電灯負荷回路５にはこのスイッチング周波数に対応した正味電流が供給されるようになり、一方、この間、スイッチ制御部２２では、ステップＳ２で、電流検出回路６から入力された正味電流（ＩＤ）をＡ／Ｄ変換器２２ａが検出し、ステップＳ３で、演算回路２２ｃが、電流値が安定したか、すなわち、定常運転状態に移行したかが判断され、定常状態に移行した後、ステップＳ４で、検出された電流データと記憶回路２２ｂに保存された図３に示すようなスイッチング周波数と正味電流の関係を表すデータが比較されることにより、放電灯負荷回路５に装着されている放電灯５ｃの定格値が識別される。
【００２８】
そして、この結果を基に、ステップＳ５およびステップＳ６で、演算回路２２ｃがスイッチ部２０を制御することにより、基準電圧発生部１５で生成される３つの基準電圧の中から、装着された放電灯５ｃの定格値に適合した基準電圧が選択され、この基準電圧が誤差増幅器９を介してインバータ駆動回路３に入力される。一方、ステップＳ７では、起動時からの経過時間が監視されており、あらかじめ設定された一定時間が経過したところで、ステップＳ８に移行し、起動時に機能する初期周波数設定手段２１による制御を停止し、以後、誤差増幅器９による制御へ切り替えられる。
【００２９】
ここで、図３に示したスイッチング周波数と正味電流の関係を表す回路特性図を用いて、上記した正味電流とスイッチング周波数の関係から放電灯５ｃの定格値を識別する方法について詳しく説明する。なお、図中、横軸はインバータ回路２のスイッチング周波数、縦軸は各周波数で駆動した場合の正味電流値であり、放電灯Ａおよび放電灯Ｂで表す線は、それぞれ、異なる定格電力ＷＬＡおよびＷＬＢ（ＷＬＡ＞ＷＬＢ）を有する２種類の放電灯の特性曲線である。
【００３０】
図１に示すように、結合コンデンサ４と放電灯負荷回路５からなる回路系はＬＣＲから成る共振系を構成しているため、スイッチング周波数を変化させることにより内部を流れる電流は、図３のように変化する。また、定格電力がＷＬＡ＞ＷＬＢである放電灯を同一周波数ｆ１で点灯させた場合の正味電流は、インピーダンスの違いにより定格電力が大なる放電灯Ａの正味電流ＩＤＡが定格電力が小なる放電灯Ｂの正味電流ＩＤＢより大きくなり、こうして、電流検出回路６からの信号をＡ／Ｄ変換して得られた正味電流値ＩＤが、初期周波数設定手段２１により設定されたスイッチング周波数ｆ１での各放電灯の電流値ＩＤＡおよびＩＤＢのどちらにより近いかを比較することにより、装着された放電灯５ｃの定格値を識別することができる。なお、この図３では、スイッチング周波数と正味電流の関係を特性曲線として表現したが、実際の放電灯点灯装置では、起動時のスイッチング周波数ｆ１が定まっているため、設定されたスイッチング周波数に対応する正味電流ＩＤＡおよびＩＤＢのみを記憶回路２２ｂに保存しておき、この値を電流検出回路６から出力される正味電流の値と比較するだけでよい。
【００３１】
また、図４には、誤差増幅器９に入力される基準電圧と放電灯負荷回路５で消費される電力の関係を表す特性図を示す。定格値に適合した基準電圧が選択された後、電流検出回路６の出力電圧が基準電圧に等しくなるようインバータ回路２のスイッチング周波数が制御され、直流電源１から放電灯５ｃの定格値に適合した高周波電流（正味電流）が放電灯負荷回路５に供給され、回路損失を無視すれば、この正味電流に対応した一定の電力（ＷＬＡまたはＷＬＢ）が放電灯５ｃで消費されることは、従来例と全く同様である。
【００３２】
以上、この実施の形態１によれば、放電灯負荷回路５に供給される正味電流を基準電圧回路１４から入力される基準電圧によって制御するよう構成するとともに、放電灯負荷回路５に装着されている放電灯５ｃの定格値をスイッチ制御部２２で検知し、スイッチ部２０で基準電圧回路１４から出力される基準電圧を自動的に切り替えて、装着された放電灯５ｃの定格値に適合した正味電流が放電灯負荷回路５に供給されるよう構成したため、同一の放電灯点灯装置で種々の定格値を有する放電灯に適用可能な放電灯点灯装置を得ることができ、この結果、多種類の部品や放電灯点灯装置を備える必要がなくなり、生産時の部品管理等の管理コストが安くなる効果がある。また、放電灯５ｃの定格値に合わせて自動的に基準電圧が変更されるため、製品出荷時等にスイッチを操作して手動で定格値を設定する必要がないといった利点もある。
【００３３】
また、放電灯点灯装置を設置した後に照度アップなどのために放電灯５ｃの定格値を変更する場合も、放電灯５ｃの定格値に合わせて基準電圧が自動的に切り替わるため、同一の放電灯点灯装置で異なる定格値の放電灯を使用することができ、放電灯点灯装置を新たに交換、設置する必要がなくなって、購入費用や運用コストが削減できる効果がある。また、いつでも基準電圧の変更が可能なため、長期にわたって使用可能な資源効率に優れた放電灯点灯装置が得られる効果がある。
【００３４】
さらに、スイッチ制御部２２およびスイッチ部２０からなる基準電圧選択手段２３が、装着されている放電灯５ｃの定格値を判断し、基準電圧を自動的に切り替えて放電灯５ｃの定格値に適合した正味電流が供給されるよう構成したため、電気の知識がなくても、常に、放電灯５ｃの定格値に適合した正味電流を流すことができ、放電灯５ｃの交換時等において、放電灯５ｃの選択ミスやスイッチ部の設定ミス等により放電灯５ｃに過大な電流を流して放電灯５ｃが短寿命となることを防止できる効果がある。
【００３５】
また、起動時に初期周波数設定手段２１で設定したスイッチング周波数ｆ１でインバータ回路２を駆動し、この時の電流検出回路６からの正味電流のデータに基いて放電灯負荷回路５に装着されている放電灯５ｃの定格値をスイッチ制御部２２で検知するよう構成したため、起動時のスイッチング周波数ｆ１を適切に設定することにより、放電灯５ｃの定格値が識別される前に定格値を超える電流が流れて放電灯５ｃが短寿命となることを防止できる効果がある。
【００３６】
また、基準電圧回路１４を、基準電圧用直流電源１１と分割抵抗１２ａ、１２ｂ、１２ｃおよび１３とを備え、あらかじめ設定された放電灯の定格値に対応した複数の異なる基準電圧を生成する基準電圧発生部１５と、基準電圧発生部１５で生成する基準電圧を自動的に選択する選択スイッチ２３とで構成したため、例えば、分割抵抗１２を可変抵抗等によって構成し、可変抵抗の抵抗を変えて電圧の分割比を変更する方式に比べて、回路構成がシンプルになり、安価な基準電圧回路が得られる効果があるとともに、基準電圧の設定が容易となる効果がある。
【００３７】
また、スイッチ制御部２２を、Ａ／Ｄ変換器２２ａ、記憶回路２２ｂおよび演算回路２２ｃとから構成し、Ａ／Ｄ変換器２２ａで電流検出回路６の出力をデジタルデータ化するとともに、演算回路２２ｃにおいて、このデジタルデータを記憶回路２２ｂにあらかじめ保存された電流データと比較して装着された放電灯５ｃの定格値を識別し、基準電圧回路１４からこの定格値に対応した基準電圧が出力されるようスイッチ部２０に制御信号を出力するよう構成したため、記憶回路２２ｂ内のデータを変更するだけで多種類の放電灯に対応でき、適用範囲の広い柔軟性に優れた放電灯点灯装置が得られる効果がある。
【００３８】
また、スイッチ制御部２２をマイコンで、また、スイッチ部２０を半導体スイッチで構成したため、基準電圧選択手段２３の回路を集積化でき、装置の小型化が可能となる効果がある。
【００３９】
なお、この実施の形態１においては、起動時の手順として、最初から初期周波数設定手段２１で設定されたスイッチング周波数で駆動し、この間に基準電圧を選択するよう構成した例を示したが、例えば、基準電圧回路１４と誤差増幅器９により、一旦、最も小さい正味電流に対応した基準電圧で点灯した後、初期周波数設定手段２１で設定されたスイッチング周波数で駆動し、この間に基準電圧を識別して切り替えるよう構成してもよい。
【００４０】
また、上記の実施の形態１では、正味電流の値を得る方法として、電流検出回路６から誤差増幅器９へ出力される信号を分岐してスイッチ制御部２２に入力した例を示したが、上記の電流検出回路６とは別に電流検出回路を設けてスイッチ制御部２２に入力するよう構成してもよい。
【００４１】
また、この実施の形態１では、インバータ駆動回路３を電圧制御発振回路３ａとドライバ３ｂで構成した例を示したが、電圧制御発振回路３ａの替りに電流制御発振回路を応用しても良く、上記と全く同様の効果が得られる。
【００４２】
さらに、基準電圧選択手段２３として、スイッチ制御部２２をマイコンで、また、スイッチ部２０を半導体スイッチで構成した例を示したが、例えば、異なる電圧でＯＮ、ＯＦＦされるリレーを組み合わせ、電流検出回路６からの出力電圧によって各スイッチ２０ａ、２０ｂ、２０ｃの接点がＯＮ／ＯＦＦされるリレー回路で構成し、アナログ処理してもよく、また、上記したように、分割抵抗１２として可変抵抗を用いて、電圧の分割比を変更するよう構成してもよい。
【００４３】
また、この実施の形態１においては、放電灯負荷回路５に供給される正味電流をＡ／Ｄ変換器２２ａで検出、演算回路２２ｃで監視することにより定常運転状態への移行を判断したが、マイコン２２内に内蔵されたタイマーで一定時間待機してから、正味電流を検出するよう構成してもよく、さらには、初期周波数設定手段２１から誤差増幅器９に制御を渡す時間をあらかじめ設定するのではなく、基準電圧の選択完了後に、スイッチ制御部２２から初期周波数選択手段２１に信号を送出し、初期周波数選択手段２１での制御を停止するよう構成してもよく、この場合、正味電流の値を監視することによって定常状態を判断するよう構成したことともあいまって、待機時間に裕度をもっておく必要がないため、起動から基準電圧の選択まで速やかに行える効果がある。
【００４４】
実施の形態２．
図５には、この発明の実施の形態２である放電灯点灯装置の構成を表す回路図を示す。この実施の形態２では、インバータ駆動回路３は、電流によって発振周波数が制御される電流制御発振回路３ｃ（図中、「ＣＣＯ」と記載）とドライバ３ｂから構成され、さらに、放電灯点灯装置の起動時のスイッチング周波数を設定するための初期周波数設定手段２１として、インバータ駆動回路３とグランド間には周波数設定抵抗２４が、また、インバータ駆動回路３と誤差増幅器９間にはダイオード２５が接続されている。なお、図中、図１と同一または相当部分は同一記号を付し、説明を省略する。
【００４５】
以下、この実施の形態２の動作について、電圧制御発振回路３ａと電流制御発振回路３ｃの動作の違い、および、周波数設定抵抗２４とダイオード２５の動作を中心に、図５の構成図と図６のフローチャートを用いて説明する。図５において、電流制御発振回路３ｃは、電流制御発振回路３ｃの内部に内蔵された内部電源（図示せず）から流れ出る電流値によって発振周波数が制御される発振回路であり、この例では、内部電源から周波数設定抵抗２４を介してグランドに流れ出る電流とダイオード２５から誤差増幅器９に引き込まれる電流の合計電流によって電流制御発振回路３ｃの発振周波数が制御される。
【００４６】
まず、ステップＳ１において、この放電灯点灯装置の起動前に、スイッチ制御部２２によって、スイッチ部２０のスイッチ２０ａ、２０ｂ、２０ｃのうち最も高い基準電圧に対応したスイッチ２０ｃをＯＮに、また、他のスイッチ２０ａ、２０ｂをＯＦＦに設定する。これは、誤差増幅器９の出力側の電位を周波数設定抵抗２４の上流側の電位より高く設定することにより、ダイオード２５によって電流制御発振回路３ｃ側から誤差増幅器９側に電流が流入することを防止し、この結果、起動後一定時間の間、電流制御発振回路３ｃから流れ出る電流を一定に保つことにより、スイッチング周波数を周波数設定抵抗２４で設定した一定周波数に保持するためである。
【００４７】
次に、ステップＳ２において、上記の状態で放電灯点灯装置を起動すると、電流制御発振回路３ｃは周波数設定抵抗２４を通ってグランドに流れ出る電流に対応した一定の周波数で発振し、この信号をドライバ３ｂで増幅して、インバータ回路２を駆動することにより、直流電源１から供給される直流電流が高周波電流に変換されて、放電灯負荷回路５に供給され、放電灯５ｃが点灯する。
【００４８】
放電灯負荷回路５に電流が流れ出すと、検出抵抗７には図１２と同様の交流電流が流れ、積分回路８でこの交流電流の順方向および逆方向の電流の和（正味電流）が検出されて、放電灯負荷回路５に供給されている正味電流に対応した信号が誤差増幅器９の反転入力端に入力されるとともに、基準電圧選択手段２３内のスイッチ制御部２２内にも入力される。
【００４９】
なお、上記したように、周波数設定抵抗２４で設定されるスイッチング周波数と起動時の基準電圧を適当に選択しておけば、定常状態においても、電流制御発振回路３ｃ側から誤差増幅器９側へ電流が流入することを防止でき、この結果、放電灯点灯装置を起動後、周波数設定抵抗２４によって設定された一定周波数でインバータ回路２をスイッチングすることができ、放電灯負荷回路５には周波数設定抵抗２４で設定されたスイッチング周波数に対応した定常的な正味電流が供給されるようになる。
【００５０】
こうして、スイッチ制御部２２では、ステップＳ３において、電流検出回路６から送出された正味電流の信号からＡ／Ｄ変換器２２ａが正味電流値（ＩＤ）を検出し、続いて、ステップＳ４で、電流値が安定したかが判断され、定常状態になった後に、ステップＳ５で、この電流データを演算回路２２ｃにおいて記憶回路２２ｂに保存された正味電流のデータと比較することにより、放電灯負荷回路５に装着されている放電灯５ｃの定格値が識別される。
【００５１】
そして、この結果を基に、ステップＳ６およびステップＳ７において、装着された放電灯５ｃの定格値に適合した基準電圧がスイッチ部２０によって選択されると、ダイオード２５の誤差増幅器９側の電位が低くなって、インバータ駆動回路３側から誤差増幅器９側に電流が引き込まれるようになり、以後、ステップ８以降では、周波数設定抵抗２４を流れる電流と誤差増幅器９に引き込まれる電流とによってインバータ駆動回路３内の電流制御発振回路３ｃが制御されるようになり、放電灯負荷回路５に供給される正味電流が調整されることになる。
【００５２】
以上のように、この実施の形態２によれば、上記実施の形態１と全く同様の効果が得られるとともに、放電灯点灯装置の起動時のスイッチング周波数を設定するための初期周波数設定手段２１として周波数設定抵抗２４を設けたため、周波数設定抵抗２４とダイオード２５といった簡単な回路で起動時のスイッチング周波数が設定できるため、実施の形態１のようにインバータ駆動回路３を制御するための別の制御回路が不要となって、コストが削減できる効果がある。
【００５３】
なお、以上の説明から明らかなように、この実施の形態２の電流制御発振回路３ｃの替りに電圧制御発振回路を応用しても、全く同様の効果が得られる。
【００５４】
実施の形態３．
図７には、この発明の実施の形態３である放電灯点灯装置の回路図を示す。なお、この発明は、例えば、三菱電機オスラム株式会社製のＨｆ蛍光放電灯(形名ＦＨＦ３２ＥＸ)のように、同一放電灯で複数の定格値を有している（ＦＨＦ３２ＥＸの場合は、３２Ｗと４５Ｗの２つの定格電力を有する）放電灯を、実施の形態１に示した放電灯点灯装置で駆動した場合、複数の定格値を持っていても、スイッチング周波数ｆ１に対する電流検出回路６からの正味電流の出力ＩＤを表す特性曲線が１本だけとなるため、スイッチ制御部２２だけではこの放電灯を３２Ｗで運転するのか、４５Ｗで運転するかの識別ができないといった問題点を解決するためになされたものである。
【００５５】
以下、この実施の形態３の構成および動作について図７を用いて説明する。図７において、２６は、スイッチ制御部２２に設けられた放電灯５ｃの定格を外部からマニュアル設定するための外部設定手段であり、この実施の形態では、「自動モード」、「３２Ｗモード」、「４５Ｗモード」の３つが切り替えられる外部設定スイッチで構成されている。なお、図１と同一または相当部分は同一記号を付し、説明を省略する。
【００５６】
以下、この実施の形態３の動作について説明する。図７において、この放電灯点灯装置が起動されると、まず、初期周波数設定手段２１によって設定されたスイッチング周波数でインバータ回路２が駆動され、放電灯５ｃはこの周波数に対応した電力で点灯される。一方、このスイッチング周波数で運転されている一定期間の間にスイッチ制御部２２では、最初に、外部設定スイッチ２６の設定状況が検出され、「自動モード」に設定されている場合は、実施の形態１と同様の手順で装着された放電灯５ｃの定格値が自動識別され、一定時間後に、この定格値に適合した基準電圧に切り替えられる。また、外部設定スイッチ２６の設定が「３２Ｗモード」あるいは「４５Ｗモード」である場合は、自動識別を行わず、この外部設定スイッチ２６で設定された定格値で放電灯５ｃを点灯するようスイッチ部２０を切り替える。
【００５７】
こうして、この実施の形態３によれば、上記した実施の形態１で得られた効果に加え、スイッチ制御部２２に、定格値の手動設定が可能な外部設定手段２６を付加したため、複数の定格値を有する放電灯に対しても対応できる放電灯点灯装置が得られる効果がある。
【００５８】
なお、上記の実施の形態３では、まず、外部設定スイッチ２６の設定状況を検出し、この設定状況によってスイッチ制御部２２で「自動モード」、「３２Ｗモード」、「４５Ｗモード」の、それぞれに対応した処理を行うよう構成した例を示したが、複数の定格値を有する放電灯のスイッチング周波数と正味電流の特性曲線が分かっている場合は、まず、起動時のスイッチング周波数と正味電流の関係から複数定格を有する放電灯であるかどうかを判断し、複数定格である場合に、外部設定スイッチ２６の設定状況を確認に行くよう構成してもよく、この場合、複数定格以外の放電灯に対しては上記の実施の形態１と同様にして定格値の自動識別が行われる。
【００５９】
また、上記においては、外部設定スイッチ２６として「自動モード」以外に、「３２Ｗモード」、「４５Ｗモード」の２つのモードを持つ例を示したが、外部設定スイッチ２６の接点の数を増やせば、３つ以上の定格値にも対応できることは明らかである。
【００６０】
実施の形態４．
図８には、この発明の実施の形態４として、基準電圧の切り替えに伴う放電灯５ｃの明るさの変化を連続的に変化させることが可能な放電灯点灯装置の回路図を示す。図において、２７ａ、２７ｂおよび２８は、それぞれ、緩衝用抵抗、緩衝用コンデンサおよび抵抗であり、緩衝用抵抗２７ａと緩衝用コンデンサ２７ｂは全体として緩衝用積分回路２７を構成している。なお、図１と同一または相当部分は同一記号を付し、説明を省略する。
【００６１】
このように、この実施の形態４では、基準電圧を選択するスイッチ部２０のスイッチが、仮に、２２ａがＯＮの状態から２２ｂがＯＮの状態に変化した場合に、その電圧の変化分が緩衝用積分回路２７で積分されるので、誤差増幅器９に入力される基準電圧は緩衝用積分回路２７の積分定数で連続的に変化し、この積分定数を適当に選定すれば、基準電圧の変化を徐々に変化させることができ、光出力をスム−スに変化させることができる。
【００６２】
以上のように、この実施の形態４によれば、上記した実施の形態１で得られた効果に加え、誤差増幅器９の入力端と基準電圧回路１４の間に緩衝回路２７である緩衝用積分回路２７を設け、基準電圧の切り替えにともなう基準電圧回路１４の階段的な出力の変化を緩衝し、誤差増幅器９に入力される信号が徐々に、連続的に変化するよう構成したため、起動時のスイッチング周波数から放電灯５ｃの定格値に適合した基準電圧に自動的に切り替える際等に生じる、放電灯５ｃの光出力（明るさ）の急激な階段状の変化を抑制することができ、起動から定常状態に至る光出力をスム−スに変化させることができるため、ユーザの違和感や不快感を減少でき、快適性に優れた放電灯点灯装置が得られる効果がある。
【００６３】
なお、このように、毎起動時に放電灯５ｃの定格値が識別されスイッチ部２０が切り替えられて基準電圧の選択が自動で行われる放電灯点灯装置においては、装置を起動するたびに放電灯５ｃの明るさが変化することになり、明るさが毎回急変することはユーザの快適性を大きく損なうもので、光出力をスム−スに変化させることのできる上記実施の形態４の放電灯点灯装置は実用上非常に大きな利点となる。
【００６４】
さらに、例えば、起動時のスイッチング周波数から４５Ｗ定格時に切り替える際も、直接４５Ｗ定格の基準電圧に切り替えるのではなく、スイッチ制御部２２で、３２Ｗ→４０Ｗ→４５Ｗと順に１段づつ切り替えるようにすれば、緩衝用積分回路２７の効果ともあいまって、光出力がより連続的に変化し、一層快適な放電灯点灯装置が得られる効果がある。
【００６５】
また、上記の実施の形態４では、誤差増幅器９に入力される緩衝回路２７として、緩衝用抵抗２７ａと緩衝用コンデンサ２７ｂからなる緩衝用積分回路２７を用いた例を示したが、例えば、オペアンプによる積分回路等の、これと同等の機能を持つ他の構成でも良い。
【００６６】
実施の形態５．
図９には、実施の形態５である放電灯点灯装置の回路構成図を示す。これまでの実施の形態１ないし実施の形態４においては、スイッチ部２０を基準電圧発生部１５と誤差増幅器９の間に配置し、基準電圧発生部１５により生成された複数の基準電圧の中から、スイッチ部２０により誤差増幅器９に入力する基準電圧を選択するよう構成した例を示したが、図９に示すこの実施の形態のように、スイッチ部２０の各スイッチ２０ａ、２０、２０ｃを各分割抵抗１２ａ、１２ｂ、１２ｃに並列に接続し、スイッチ部２０の各スイッチをＯＮ、ＯＦＦすることによって分割抵抗１２ａ、１２ｂ、１２ｃがバイパスされ、誤差増幅器９に接続された基準電圧の出力端の両側の分割抵抗の分割比が変化し、基準電圧が変更されるよう構成してもよい。
【００６７】
なお、図９中、１６は、分割抵抗１２ａ、１２ｂ、１２ｃおよび１３に直列に接続された分割抵抗であり、また、図１と同一または相当部分は同一記号を付し、説明を省略する。さらに、動作についても、上記の実施の形態１と全く同様であり、説明を省略する。
【００６８】
こうして、この実施の形態５によれば、上記した実施の形態１で得られた効果に加え、以下のような効果が得られる。すなわち、一般に誤差増幅器９の入力インピ−ダンスは非常に大きいことから、実施の形態１に示した例では、スイッチ部２０の各接点には長期間にわたって微少電流が流れ続けることになり、このような条件下で基準電圧の値を長期間安定して保つことはなかなか困難であった。しかし、この実施の形態５によれば、スイッチ部２０を分割抵抗１２ａ、１２ｂ、１２ｃに並列に接続したため、スイッチ部２０には、基準電圧用直流電源１１からの分割抵抗を流れる電流が流れることになり、経年変化に対して安定を保つために必要な電流値を流すことができるため、経年変化に対して耐久性が高く、信頼性の高い放電灯点灯装置が得られる効果がある。
【００６９】
なお、図９では、スイッチ部２０の各スイッチ２０ａ，２０ｂ，２０ｃを各分割抵抗１２ａ、１２ｂ、１２ｃの上流側とグランド間に並列に設けた例を示したが、スイッチ部２０の各スイッチ２０ａ、２０ｂ、２０ｃが、それぞれ、分割抵抗１２ａ、１２ｂ、１２ｃをバイパスするよう接続しても良く、この場合、各スイッチの切り替えにより多種類の分割比を得ることができ、少ない分割抵抗数でより多くの定格値に対応できる放電灯点灯装置が得られる効果がある。
【００７０】
実施の形態６．
また、上記の実施の形態１ないし実施の形態５において、基準電圧発生部１５やスイッチ部２０を含む基準電圧回路１４を誤差増幅器９と同一の回路基板上に実装すれば、放電灯５ｃの放電によって基準電圧発生部１５やスイッチ部２０に流れる微少電流が外乱ノイズの影響で変動し、放電灯５ｃの出力が不安定になることを防止できるとともに、スイッチ部を別基板に設置する場合に比べてノイズ対策費用が軽減できる利点がある。
【００７１】
実施の形態７．
さらに、回路基板を金属等で形成したケース内に収納すれば、放電灯５ｃの取り替え時等に回路基板を損傷する危険が少なくなり、また、ケースを金属で形成すれば放電灯５ｃの放電によるノイズの影響が一層軽減される効果もある。
【００７２】
また、上記の実施の形態１ないし実施の形態５においては、誤差増幅器９に積分用のコンデンサ１０ｂを付加した例を示したが、積分回路８の積分定数を適当に選定すれば、誤差増幅器９の積分の機能は不要となり、コンデンサ１０ｂは増幅用の抵抗によって置き換えることができる。また、積分回路８の機能を誤差増幅器９内に一体化してもよい。
【００７３】
また、上記の実施の形態１ないし実施の形態５では、誤差増幅器９に入力される基準電圧の数を３種類としたが、これを２種類または４種類以上としても全く同様の効果が得られる。さらに、放電灯負荷回路５として１灯用のものを例示したが、同一定格を持つ２灯用以上のものに適用しても良い。また、基準電圧用直流電源１１を直流電源１から供給される直流電圧を安定化して使用するよう構成すれば、電源の共用が図られ、部品点数やコストが減少できる利点がある。
【００７４】
さらに、上記の実施の形態１および実施の形態７では、それぞれ、基本的な構成のみを説明したが、これらの構成を組み合わせることにより一層使い易い放電灯点灯装置が得られることは明らかであり、また、インバ−タ駆動回路３内の発振回路を、電流制御発振回路（ＣＣＯ）または電圧制御発振回路（ＶＣＯ）のどちらで構成しても同様の効果が得られる。
【００７５】
【発明の効果】
この発明は、以上説明したように構成されているので、以下に示すような効果を奏する。
【００７６】
インバータ回路から放電灯負荷回路に供給される電流を基準電圧回路から出力される基準電圧によって制御するよう構成するとともに、上記基準電圧回路には、上記放電灯負荷回路に装着された放電灯の定格値を識別し、この定格値に適合した基準電圧を自動的に選択可能な基準電圧選択手段を設けたため、同一の放電灯点灯装置で種々の定格値を有する放電灯に適用可能な放電灯点灯装置を得ることができ、この結果、生産時の部品管理等の管理コストが安くなる効果がある。また、放電灯の定格値に合わせて基準電圧が自動的に切り替わるため、放電灯の交換時等において放電灯の選択ミス等によって放電灯が短寿命となることを防止できる効果がある。また、放電灯点灯装置起動時に初期周波数設定手段によって設定されたスイッチング周波数で上記インバータ回路を駆動し、この時放電灯負荷回路に供給された正味電流から、上記基準電圧選択手段が上記放電灯負荷回路に装着された放電灯の定格値を識別するよう構成したため、起動時のスイッチング周波数を適切に設定することにより、放電灯の定格値が識別される前に、定格値を超える電流が流れて放電灯が短寿命となることを防止できる放電灯点灯装置が得られる効果がある。
【００７７】
また、上記基準電圧回路を、基準電圧用直流電源と上記基準電圧用直流電源の電圧を分割する分割抵抗とを備え、あらかじめ設定された放電灯の定格値に対応した複数の異なる基準電圧を発生する基準電圧発生部と、上記放電灯負荷回路に装着された放電灯の定格値を識別し、上記基準電圧発生部で生成する基準電圧の中からこの定格値に適合した基準電圧を自動的に選択する基準電圧選択手段とから構成したため、上記基準電圧回路の構成がシンプルになり、安価な基準電圧回路が得られるとともに、基準電圧の設定が容易になる効果がある。
【００７８】
また、上記基準電圧選択手段内のスイッチ部を分割抵抗に並列に接続したため、経年変化に対して安定した動作が得られ、信頼性の高い放電灯点灯装置が得られる効果がある。
【００７９】
さらに、上記基準電圧選択手段内のスイッチ制御部を、Ａ／Ｄ変換器と、記憶回路と、演算回路とから構成し、上記Ａ／Ｄ変換器で上記電流検出回路の出力をデジタルデータ化するとともに、上記演算回路において、このデジタルデータを上記記憶回路にあらかじめ保存された電流データと比較して装着された放電灯の定格値を識別し、上記基準電圧回路からこの定格値に対応した基準電圧が出力されるようスイッチ部に制御信号を出力するよう構成したため、上記記憶回路内のデータを変更するだけで多種類の放電灯に対応でき、適用範囲の広い放電灯点灯装置が得られる効果がある。
【００８０】
また、放電灯の定格値を識別する情報を上記基準電圧選択手段に手動で入力できる外部設定手段を設けたため、複数の定格値を有する放電灯にも対応できる放電灯点灯装置が得られる効果がある。
【００８１】
また、上記基準電圧回路と上記誤差増幅器との間に緩衝回路を設け、上記基準電圧回路から出力される基準電圧が変化する際、上記誤差増幅器に入力される基準電圧が連続的に変化するよう構成したため、基準電圧の自動的な変更に伴う放電灯の光出力（明るさ）の急激な変化を抑制することができ、起動から定常状態に至る光出力がスム−スに変化するため、ユーザの違和感や不快感を減少でき、快適性に優れた放電灯点灯装置が得られる効果がある。
【００８２】
さらに、基準電圧を変更する際、上記基準電圧回路から出力される電圧が、変更時点で選択されている基準電圧に近い基準電圧から順番に出力されるよう構成したため、一層光出力をスム−スに変化させることができ、より快適性に優れた放電灯点灯装置が得られる効果がある。
【００８３】
また、上記基準電圧回路を上記誤差増幅器が実装された回路基板上に設けたため、上記スイッチ部等に流れる微少電流が外乱ノイズの影響で変動し、放電灯の出力が不安定になることを防止できるとともに、別基板に設置する場合に比べてノイズ対策費用が軽減できる効果がある。
【００８４】
また、上記基準電圧回路および上記誤差増幅器が実装された回路基板をケース内に収納したため、上記回路基板の損傷が防止される効果もある。
【図面の簡単な説明】
【図１】  この発明の実施の形態１の構成を示す回路図。
【図２】  この発明の実施の形態１の動作を示すフローチャート。
【図３】  この発明の実施の形態１の放電灯の定格値の識別方法を示す説明図。
【図４】  この発明の実施の形態１の基準電圧と消費電力の関係を表す特性図。
【図５】  この発明の実施の形態２の構成を示す回路図。
【図６】  この発明の実施の形態２の動作を示すフローチャート。
【図７】  この発明の実施の形態３の構成を示す回路図。
【図８】  この発明の実施の形態４の構成を示す回路図。
【図９】  この発明の実施の形態５の構成を示す回路図。
【図１０】  従来の放電灯点灯装置の構成を示す回路図。
【図１１】  従来の放電灯点灯装置の直流電源の構成を示す回路図。
【図１２】  従来の放電灯点灯装置の検出抵抗を流れる電流波形図。
【符号の説明】
１  直流電源
２  インバ−タ回路
３  インバータ駆動回路
５  放電灯負荷回路
５ｃ  放電灯
６  電流検出回路
９  誤差増幅器
１１  基準電圧用直流電源
１２、１２ａ、１２ｂ、１２ｃ  分割抵抗
１３  分割抵抗
１４  基準電圧回路
１５  基準電圧発生部
１６  分割抵抗
２０  スイッチ部
２０ａ、２０ｂ、２０ｃ  スイッチ
２１  初期周波数設定手段
２２  スイッチ制御部
２２ａ  Ａ／Ｄ変換器
２２ｂ  記憶回路
２２ｃ  演算回路
２３  基準電圧選択手段
２４  周波数設定抵抗（初期周波数設定手段）
２６  外部設定スイッチ（外部設定手段）
２７  緩衝用積分回路（緩衝回路）
【図１】
0004083895.tif 000002
【図２】
0004083895.tif 000003
【図３】
0004083895.tif 000004
【図４】
0004083895.tif 000005
【図５】
0004083895.tif 000006
【図６】
0004083895.tif 000007
【図７】
0004083895.tif 000008
【図８】
0004083895.tif 000009
【図９】
0004083895.tif 000010
【図１０】
0004083895.tif 000011
【図１１】
0004083895.tif 000012
【図１２】
0004083895.tif 000013